(57)【要約】【課題】所定の場合においてヒートローラの表面温度が温度リップル最上点に達しているときにヒートローラに紙間がこないように制御して、無駄なエネルギーの使用を削減した効率的な画像形成装置を提供する。【解決手段】ヒータ２９を作動させてから最初にヒートローラ２７の表面温度Ｔｒが温度リップル最上点に達するまでの第２経過時間Ｌ２を検出する（Ｓ１０１）。次に、第２経過時間Ｌ２がＰＤＳ３３がオンとなってから最初にオフとなるまでの第３経過時間Ｌ３以上の長さであれば（Ｓ１０２でＹｅｓ）、時間検出手段により、ヒータ２９を作動させてから最初にＰＤＳ３３がオンとなるまでの第１経過時間Ｌｐを検出する（Ｓ１０３）。第１経過時間Ｌｐが第１所定時間であれば（Ｓ１０４でＹｅｓ）、第２制御手段により、第１経過時間Ｌｐの経過後から第２所定時間Ｌ５の経過後に（Ｓ１０５でＹｅｓ）、第３所定時間Ｌ６ヒータ２９を停止させる（Ｓ１０６）。【選択図】図２
2009086462.tif 000002
【特許請求の範囲】
【請求項１】
複数枚の記録紙に連続して画像形成処理が行われる画像形成装置であって、
ヒータを内蔵したヒートローラと、
前記ヒートローラの前記記録紙の排出側に設置され、前記記録紙の通過を検出する記録紙排出センサと、
前記ヒートローラの表面温度を検出する温度検出手段と、
前記検出された表面温度が定着温度より低い場合に前記ヒータを作動させ、前記検出された表面温度が前記定着温度より高い場合に前記ヒータを停止させることにより、前記表面温度が温度リップルを形成しながら前記定着温度に維持されるように制御する第１制御手段と、
前記ヒータを作動させてから最初に前記記録紙排出センサがオンとなるまでの第１経過時間を検出する時間検出手段と、
前記検出された第１経過時間が第１所定時間である場合に、前記第１経過時間の経過後から第２所定時間の経過後に前記ヒータを停止させることにより、前記第２所定時間の経過直後において、前記記録紙が前記ヒートローラを通過中に前記表面温度が前記温度リップルの最上点に達するように制御する第２制御手段とを備えた、画像形成装置。
【請求項２】
前記第２制御手段は、前記第２所定時間の経過後に第３所定時間前記ヒータを停止させる、請求項１記載の画像形成装置。
【請求項３】
前記第１経過時間をＬｐ、前記第１経過時間の直前における前記ヒータを作動させてから最初に前記表面温度が前記温度リップル最上点に達するまでの第２経過時間をＬ２、前記記録紙排出センサがオンとなってから最初にオフとなるまでの第３経過時間をＬ３、前記第１経過時間の直前における前記ヒータを作動させてから停止させ次に作動させるまでの第４経過時間をＬ４とすると、
前記第２経過時間Ｌ２が前記第３経過時間Ｌ３より長い場合は、前記第１所定時間が
Ｌｐ＝Ｌ２−Ｌ３
の関係を有するときのＬｐであり、前記第２経過時間Ｌ２が前記第３経過時間Ｌ３より短い場合は、前記第１所定時間が
Ｌｐ＝Ｌ４＋Ｌ２−Ｌ３
の関係を有するときのＬｐである、請求項１又は請求項２記載の画像形成装置。
【発明の詳細な説明】
【技術分野】
【０００１】
この発明は画像形成装置に関し、特に電子写真方式の画像形成装置に関するものである。
【背景技術】
【０００２】
電子写真方式の画像形成装置は、記録紙を加熱及び加圧することにより記録紙に転写されたトナー像を定着させる定着器を備えている。この定着器は、ヒートローラと、ヒートローラに加圧及び接触して対向するように設置されるプレスローラと、ヒートローラに内蔵されるヒータと、ヒートローラの表面に接触して設置される温度センサとを備えている。ヒータには例えばハロゲンランプが用いられる。トナー像の定着性を安定させるために、ヒートローラの表面温度が所定の定着温度に維持されるように、ヒートローラの表面温度が制御されている。ヒートローラの表面温度の制御は、ヒータから供給される熱を利用して、ヒータのオン／オフ制御により行われている（例えば、特許文献１参照）。具体的には、温度センサによって検出されるヒートローラの表面温度が、上記定着温度より高くなれば、ヒータを停止させ、上記定着温度より低くなれば、ヒータを作動させる。よって、ヒートローラの表面温度は、定着温度を中心に上下する温度リップルを形成しながら定着温度に維持される。一連の画像形成処理が行われている間は、上記のようなヒートローラの表面温度の制御が行われている。
【０００３】
【特許文献１】特開２００３−２８０４４４号公報
【発明の開示】
【発明が解決しようとする課題】
【０００４】
上記のような従来の画像形成装置では、複数枚の記録紙に連続して印字する一連の画像形成処理において、ヒートローラの表面温度が温度リップル最上点に達しているときに、ヒートローラに記録紙と記録紙と間である紙間がくる場合がある。記録紙がヒートローラと接触していないときにヒートローラの表面温度が高くなっていても、エネルギーの無駄である。又、記録紙に熱を奪われないため、装置内温度が上昇する。装置内温度の上昇は、記録紙に過剰な熱を与えてしまうため、記録紙のカールやしわの原因になり易い。
【０００５】
この発明は、上記のような課題を解決するためになされたもので、所定の場合においてヒートローラの表面温度が温度リップル最上点に達しているときにヒートローラに紙間がこないように制御して、無駄なエネルギーの使用を削減した効率的な画像形成装置を提供することを目的とする。
【課題を解決するための手段】
【０００６】
上記の目的を達成するために、第１の発明は、複数枚の記録紙に連続して画像形成処理が行われる画像形成装置であって、ヒータを内蔵したヒートローラと、ヒートローラの記録紙の排出側に設置され、記録紙の通過を検出する記録紙排出センサと、ヒートローラの表面温度を検出する温度検出手段と、検出された表面温度が定着温度より低い場合にヒータを作動させ、検出された表面温度が定着温度より高い場合にヒータを停止させることにより、表面温度が温度リップルを形成しながら定着温度に維持されるように制御する第１制御手段と、ヒータを作動させてから最初に記録紙排出センサがオンとなるまでの第１経過時間を検出する時間検出手段と、検出された第１経過時間が第１所定時間である場合に、第１経過時間の経過後から第２所定時間の経過後にヒータを停止させることにより、第２所定時間の経過直後において、記録紙がヒートローラを通過中に表面温度が温度リップルの最上点に達するように制御する第２制御手段とを備えたものである。
【０００７】
このように構成すると、所定の場合において、ヒートローラの表面温度が温度リップル最上点に達しているときに、ヒートローラに複数枚の記録紙に連続して画像形成処理が行われる場合の記録紙と記録紙の間である紙間がこない。
【０００８】
第２の発明は、第１の発明の構成において、第２制御手段は、第２所定時間の経過後に第３所定時間ヒータを停止させるものである。
【０００９】
このように構成すると、ヒートローラの表面温度が定着温度より低い状態で所定時間ヒータが停止する。
【００１０】
第３の発明は、第１又は第２の発明の構成において、第１経過時間をＬｐ、第１経過時間の直前におけるヒータを作動させてから最初に表面温度が温度リップル最上点に達するまでの第２経過時間をＬ２、記録紙排出センサがオンとなってから最初にオフとなるまでの第３経過時間をＬ３、第１経過時間の直前におけるヒータを作動させてから停止させ次に作動させるまでの第４経過時間をＬ４とすると、第２経過時間Ｌ２が第３経過時間Ｌ３より長い場合は、第１所定時間がＬｐ＝Ｌ２−Ｌ３の関係を有するときのＬｐであり、第２経過時間Ｌ２が第３経過時間Ｌ３より短い場合は、第１所定時間がＬｐ＝Ｌ４＋Ｌ２−Ｌ３の関係を有するときのＬｐであるものである。
【００１１】
このように構成すると、記録紙の大きさに応じて第１所定時間が算出される。
【発明の効果】
【００１２】
以上説明したように、第１の発明は、所定の場合において、ヒートローラの表面温度が温度リップル最上点に達しているときに、ヒートローラに紙間がこないため、無駄なエネルギーを削減し、装置内温度の上昇を抑えることができ、効率的な画像形成装置となる。
【００１３】
第２の発明は、第１の発明の効果に加えて、ヒートローラの表面温度が定着温度より低い状態で所定時間ヒータが停止するため、第１所定時間の経過直後における温度リップル最上点に達したときの表面温度を確実に低くすることができる。
【００１４】
第３の発明は、第１又は第２の発明の効果に加えて、記録紙の大きさに応じて第１所定時間が算出されるため、記録紙の大きさに応じて、所定の場合にヒートローラの表面温度が温度リップル最上点に達しているときに、ヒートローラに紙間がこないようにすることができる。
【発明を実施するための最良の形態】
【００１５】
次に、発明の実施の形態について図を用いて説明する。
【００１６】
図１はこの発明の第１の実施の形態による画像形成装置の概略構成を示したブロック図である。
【００１７】
図１を参照して、例えばファクシミリやコピー機に組み込まれる画像形成装置１０は、感光ドラム１２と、記録紙搬送路を挟んで感光ドラム１２に接触して対向するように設置される転写ローラ１３と、それらの記録紙搬送方向下流側に設置される定着器１５と、感光ドラム１２の周囲に設置される現像器１４と、画像形成装置１０の各部を制御するプリンタコントローラ１１とを備えている。
【００１８】
感光ドラム１２は、露光により帯電する感光体であり、図示しない駆動源により回転される。感光ドラム１２の周囲には、ブラシローラ式の帯電器である帯電ブラシ１６、露光部であるＬＥＤプリントヘッド１８、メモリ除去ブラシ１９が設置されている。帯電ブラシ１６には、帯電バイアス印加回路１７により所定のバイアス電圧が印加される。バイアス電圧が印加された帯電ブラシ１６は、回転しながら感光ドラム１２の外周面を一様に帯電させる。ＬＥＤプリントヘッド１８は、多数のＬＥＤを並設して構成され、入力された画像情報に基づいて感光ドラム１２の外周面に光を照射し、その外周面に画像情報に対応する静電潜像を形成する。メモリ除去ブラシ１９には、メモリ除去ブラシ電圧印加回路２０により所定のバイアス電圧が印加される。バイアス電圧が印加されたメモリ除去ブラシ１９は、転写後に感光ドラム１２の外周面に画像の輪郭に沿って残るトナー像を除去する。
【００１９】
転写ローラ１３は、感光ドラム１２の回転に追従して回転され、転写器として感光ドラム１２の外周面に形成されたトナー像を記録紙に転写する。転写ローラ１３には、転写バイアス印加回路２１により所定のバイアス電圧が印加される。転写ローラ１３と転写バイアス印加回路２１との間には、電流検出部２２が設置され、転写バイアス電圧印加時に流れる電流を検出し、プリンタコントローラ１１に信号が送られる。
【００２０】
現像器１４は、供給ローラ２３、現像ローラ２４及びブレード２５を備えている。供給ローラ２３は、トナーを収容した図示しないトナーケースからトナーを帯電させながら現像ローラ２４に供給する。現像ローラ２４は、供給ローラ２３と感光ドラム１２との間に双方に接触して設置され、感光ドラム１２へトナーを転移する。ブレード２５は、現像ローラ２４の外周面に弾性的に接触され、現像ローラ２４の外周面に付着したトナー層の層圧を均一にする。供給ローラ２３、現像ローラ２４及びブレード２５には、現像器バイアス印加回路２６により所定のバイアス電圧が印加される。
【００２１】
定着器１５は、ヒートローラ２７と、ヒートローラ２７に加圧及び接触して対向するように設置されるプレスローラ２８と、ヒートローラ２７に内蔵され、ヒートローラに熱を供給するヒータ２９とを備えている。記録紙がヒートローラ２７により加熱され、プレスローラ２８により加圧されることにより、記録紙に転写されたトナー像が定着する。ヒートローラ２７の表面には、温度検出手段である温度センサ３０が接触して設置されている。ヒータ２９には例えばハロゲンランプが用いられる。ヒートローラ２７には、ヒータ作動回路３１が接続されており、プリンタコントローラ１１からの制御信号に基づいてヒータ作動回路３１が動作してヒータ２９が作動する。尚、ヒートローラ２７及びプレスローラ２８は、プリンタコントローラ１１からの制御信号に基づいて図示しないモータが駆動することにより、回転する。尚、感光ドラム１２、供給ローラ２３及び現像ローラ２４等も、図示しないモータが駆動することにより回転する。
【００２２】
プリンタコントローラ１１は、通常の温度制御として、温度センサ３０の検出信号に基づいてヒータ作動回路３１に信号を送信してヒータ２９のオン／オフを制御し、ヒートローラ２７の表面温度が、トナー像の定着性が安定する所定の定着温度に維持されるようにする。具体的には、温度センサ３０によって検出されるヒートローラ２７の表面温度が、上記定着温度より高くなれば、ヒータ２９を停止させ、上記定着温度より低くなれば、ヒータ２９を作動させる。このとき、ヒートローラ２７の表面温度について定着温度を中心に上下する温度リップルが形成される。
【００２３】
記録紙は記録紙搬送路に沿って、図示しない給紙カセットから転写ローラ１３を介して定着器１５へと１枚ずつ搬送される。定着器１５のヒートローラ２７及びプレスローラ２８の記録紙排出側には、記録紙排出センサであるＰＤＳ３３が設置され、記録紙の通過が検出される。具体的には、記録紙が記録紙搬送路に沿ってＰＤＳ３３を通過中は、ＰＤＳ３３がオンとなり、それ以外のときはＰＤＳ３３がオフとなる。そして、ＰＤＳのオン／オフの状態は、ＰＤＳ３３からの検出信号により、プリンタコントローラ１１に検出される。
【００２４】
次に、複数枚の記録紙に連続して印字する一連の画像形成処理が行われるときのヒートローラ２７の表面温度制御について説明する。
【００２５】
図２はこの発明の第１の実施の形態におけるヒートローラの表面温度制御の内容を示したフローチャートである。
【００２６】
図２を参照して、ヒートローラ２７の表面温度Ｔｒについて上述した第１制御手段である通常の温度制御が行われ、複数枚の記録紙が連続して印字されている（Ｓ１００）。このとき、プリンタコントローラ１１は、ヒータ２９を作動させてから最初にヒートローラ２７の表面温度Ｔｒが温度リップル最上点に達するまでの第２経過時間Ｌ２を検出する（Ｓ１０１）。次に、ステップＳ１０１で検出された第２経過時間Ｌ２と、記録紙の大きさに関係するＰＤＳ３３がオンとなってから最初にオフとなるまでの第３経過時間Ｌ３とを比較する（Ｓ１０２）。第３経過時間Ｌ３は、記録紙の大きさに応じて印字開始前に算出されているが、プリンタコントローラ１１がＰＤＳ３３からの検出信号に基づいて検出してもよい。
【００２７】
次に、第２経過時間Ｌ２が第３経過時間Ｌ３以上の長さであれば（Ｓ１０２でＹｅｓ）、プリンタコントローラ１１は、時間検出手段により、ヒータ２９を作動させてから最初にＰＤＳ３３がオンとなるまでの第１経過時間Ｌｐを検出する（Ｓ１０３）。次に、ステップＳ１０３で検出された第１経過時間Ｌｐが第１所定時間、即ちＬｐ＝Ｌ２−Ｌ３であれば（Ｓ１０４でＹｅｓ）、プリンタコントローラ１１は、第２制御手段により、第１経過時間Ｌｐの経過後から第２所定時間Ｌ５の経過後に（Ｓ１０５でＹｅｓ）、第３所定時間Ｌ６ヒータ２９を停止させる（Ｓ１０６）。その後、プリンタコントローラ１１は、第１制御手段である通常の温度制御に戻る（Ｓ１０７）。尚、ステップＳ１０３で検出された第１経過時間ＬｐがＬｐ＝Ｌ２−Ｌ３でなければ（Ｓ１０４でＮｏ）、プリンタコントローラ１１は、第１経過時間Ｌｐの検出を繰り返し行う（Ｓ１０３）。尚、ステップＳ１０４における第２経過時間Ｌ２は、第１経過時間Ｌｐの直前に検出した第２経過時間Ｌ２、又は第１経過時間Ｌｐの直前から数回検出した第２経過時間Ｌ２の平均値を使用する。
【００２８】
ステップＳ１０２に戻って、第２経過時間Ｌ２が第３経過時間Ｌ３以上の長さでなければ（Ｓ１０２でＮｏ）、プリンタコントローラ１１はヒータ２９を作動させてから停止させ次に作動させるまでの第４経過時間Ｌ４を検出する（Ｓ１０８）。次に、プリンタコントローラ１１は、時間検出手段により、ステップＳ１０３と同様に第１経過時間Ｌｐを検出する（Ｓ１０９）。次に、ステップＳ１０９で検出された第１経過時間Ｌｐが第１所定時間、即ちＬｐ＝Ｌ４+Ｌ２−Ｌ３であれば（Ｓ１１０でＹｅｓ）、プリンタコントローラ１１は、第２制御手段により、第１経過時間Ｌｐの経過後から第２所定時間Ｌ５の経過後に（Ｓ１０５でＹｅｓ）、第３所定時間Ｌ６ヒータ２９を停止させる（Ｓ１０６）。その後、通常の温度制御に戻る（Ｓ１０７）。尚、ステップＳ１０９で検出された第１経過時間ＬｐがＬｐ＝Ｌ４+Ｌ２−Ｌ３でなければ（Ｓ１１０でＮｏ）、プリンタコントローラ１１は、第１経過時間Ｌｐの検出を繰り返し行う（Ｓ１０９）。
【００２９】
ステップＳ１０４及びステップＳ１１０で示された第１所定時間は、第１制御手段である通常の温度制御において、ヒートローラ２７の表面温度Ｔｒが温度リップル最上点に達しているときに、ヒートローラに紙間がこないと判断される時間である。したがって、上記第１所定時間は、ヒートローラ２７とＰＤＳ３３との距離や、ＰＤＳ３３が記録紙を検出するタイミングと実際にヒートローラ２７に紙間がくるタイミングとの時間差により調整される。
【００３０】
上述したヒートローラ２７の表面温度制御では、第２制御手段により、第２所定時間Ｌ５の経過直後において、ステップＳ１０３においてＰＤＳ３３をオンとさせた記録紙がヒートローラ２７を通過中に、表面温度Ｔｒが温度リップルの最上点に達するように制御される。換言すれば、上記所定時間Ｌ５及び上記所定時間Ｌ６は、第２所定時間Ｌ５の経過直後において、ステップＳ１０３においてＰＤＳ３３をオンとさせた記録紙がヒートローラ２７を通過中に、表面温度Ｔｒが温度リップルの最上点に達するように設定されている。
【００３１】
次に、上述したヒートローラ２７の表面温度制御におけるヒートローラ２７の表面温度Ｔｒ、設定温度、ＰＤＳ３３及びヒータ２９の関係について説明する。
【００３２】
図３は図１で示した画像形成装置において、ヒートローラの表面温度Ｔｒ、ヒータ、ＰＤＳ及び記録紙の関係を示したＬ２≧Ｌ３の場合のタイムチャートであり、図４は図３に対応したＬ２＜Ｌ３の場合のタイムチャートである。
【００３３】
図３を参照して、図３は上述したステップＳ１０１で検出された第２経過時間Ｌ２が第３経過時間Ｌ３以上の長さである場合、即ちＬ２≧Ｌ３の場合（Ｓ１０２でＹｅｓ）のタイムチャートである。横軸には経過時間が採られ、上段からヒートローラ２７の表面温度Ｔｒの変化、ヒータ２９のオン／オフ状態、ＰＤＳ３３のオン／オフ状態、記録紙の位置が示されている。又、ヒータ２９を作動させてから最初にＰＤＳ３３がオンとなるまでの第１経過時間Ｌｐ、ヒータ２９を作動させてから最初にヒートローラ２７の表面温度Ｔｒが温度リップル最上点に達するまでの第２経過時間Ｌ２、ＰＤＳ３３がオンとなってから最初にオフとなるまでの第３経過時間Ｌ３が示されている。
【００３４】
ヒートローラ２７の表面温度Ｔｒは、記録紙３枚目まで第１制御手段である通常の温度制御により、ヒータ２９がオン／オフ制御されて、定着温度Ｔ1を中心に上下する温度リップルを形成しながら定着温度Ｔ１に維持されている。通常の温度制御だけであれば、２点鎖線で示したように記録紙４枚目以降も記録紙３枚目までと同様に定着温度Ｔ1を中心に上下する温度リップルが形成される。そして、ヒートローラ２７の表面温度Ｔｒが温度リップル最上点に達しているときに、ヒートローラ２７に記録紙４枚目と記録紙５枚目との紙間がくることとなる。
【００３５】
記録紙４枚目に係る第１経過時間Ｌｐ、記録紙４枚目の直前の、即ち記録紙３枚目に係る第２経過時間Ｌ２及び第３経過時間Ｌ３がＬｐ＝Ｌ２−Ｌ３の関係を満たしている（Ｓ１０４でＹｅｓ）。したがって、画像形成装置１０では、上述した第２制御手段により、記録紙４枚目に係る第１経過時間Ｌｐから第２所定時間Ｌ５の経過後に、第３所定時間Ｌ６ヒータ２９が停止されている。そのため、通常の温度リップル最上点よりも低い温度リップル最上点が記録紙４枚目にかかり、通常の温度リップル最上点が記録紙４枚目と記録紙５枚目との紙間から外れている。第２所定時間Ｌ５の直後において、記録紙４枚目がヒートローラ２７を通過中にヒートローラ２７の表面温度Ｔｒが温度リップルの最上点に達している。その後は、通常の温度制御が行われている。
【００３６】
図４を参照して、図４は上述したステップＳ１０１で検出された第２経過時間Ｌ２が第３経過時間Ｌ３以上の長さでない場合、即ちＬ２＜Ｌ３の場合（Ｓ１０２でＮｏ）の図３に対応したタイムチャートである。図３に加えて、ヒータ２９を作動させてから停止させ次に作動させるまでの第４経過時間Ｌ４が示されている。
【００３７】
ヒートローラ２７の表面温度Ｔｒは、記録紙２枚目まで第１制御手段である通常の温度制御により、ヒータ２９がオン／オフ制御されて、定着温度Ｔ1を中心に上下する温度リップルを形成しながら定着温度Ｔ１に維持されている。通常の温度制御だけであれば、２点鎖線で示したように記録紙３枚目以降も記録紙２枚目までと同様に定着温度Ｔ1を中心に上下する温度リップルが形成される。そして、ヒートローラ２７の表面温度Ｔｒが温度リップル最上点に達しているときに、ヒートローラ２７に記録紙３枚目と記録紙４枚目との紙間がくることとなる。
【００３８】
記録紙３枚目に係る、即ち記録紙３枚目の直前のヒータ２９の作動から記録紙３枚目の通過によりＰＤＳ３３がオンとなるまでの第１経過時間Ｌｐ、その第１経過時間Ｌｐの直前の第２経過時間Ｌ２、第３経過時間Ｌ３及び上記第１経過時間Ｌｐの直前の第４経過時間Ｌ４、がＬｐ＝Ｌ４＋Ｌ２−Ｌ３の関係を満たしている（Ｓ１１０でＹｅｓ）。したがって、画像形成装置１０では、上述した第２制御手段により、記録紙３枚目に係る第１経過時間Ｌｐから第２所定時間Ｌ５の経過後に、第３所定時間Ｌ６ヒータ２９が停止されている。そのため、通常の温度リップル最上点よりも低い温度リップル最上点が記録紙３枚目にかかり、通常の温度リップル最上点が記録紙３枚目と記録紙４枚目との紙間から外れている。第２所定時間Ｌ５の直後において、記録紙３枚目がヒートローラ２７を通過中にヒートローラ２７の表面温度Ｔｒが温度リップルの最上点に達している。その後は、通常の温度制御が行われている。
【００３９】
上記のようにヒートローラ２７の表面温度Ｔｒが制御される画像形成装置１０では、図２で示したステップＳ１０４又はステップＳ１１０の条件を満たした場合において、ヒートローラ２７の表面温度Ｔｒが温度リップル最上点に達しているときに、ヒートローラ２７に紙間がこない。そのため、無駄なエネルギーが削減されると共に、装置内温度の上昇を抑えることができ、効率的な画像形成装置となる。又、ヒートローラ２７の表面温度Ｔｒが定着温度Ｔ１より低い状態で第３所定時間Ｌ６ヒータが停止するため、第２所定時間Ｌ５の経過直後における温度リップル最上点に達したときの表面温度を確実に低くすることができる。更に、記録紙の大きさに応じて第１所定時間Ｌｐが算出されるため、記録紙の大きさに応じて、ヒートローラ２７の表面温度Ｔｒが温度リップル最上点に達しているときに、ヒートローラ２７に紙間がこないようにすることができる。
【００４０】
尚、上記の実施の形態では、第１所定時間は記録紙の大きさに応じて一義的に決定されているが、温度リップルの最上点が紙間にくる範囲内であれば、所定の範囲であってもよい。
【図面の簡単な説明】
【００４１】
【図１】この発明の第１の実施の形態による画像形成装置の概略構成を示したブロック図である。
【図２】この発明の第１の実施の形態におけるヒートローラの表面温度制御の内容を示したフローチャートである。
【図３】図１で示した画像形成装置において、ヒートローラの表面温度Ｔｒ、ヒータ、ＰＤＳ及び記録紙の関係を示したＬ２≧Ｌ３の場合のタイムチャートである。
【図４】図１で示した画像形成装置において、ヒートローラの表面温度Ｔｒ、ヒータ、ＰＤＳ及び記録紙の関係を示したＬ２＜Ｌ３の場合のタイムチャートである。
【符号の説明】
【００４２】
１０    画像形成装置
２７    ヒートローラ
２９    ヒータ
３３    ＰＤＳ
【図１】
2009086462.tif 000003
【図２】
2009086462.tif 000004
【図３】
2009086462.tif 000005
【図４】
2009086462.tif 000006